(57)【要約】【課題】高速回転に対する耐性を向上させると共に、回転トルクの伝達に優れ、且つ生産性が高い永久磁石式回転機の回転子構造を提供する。【解決手段】円筒状に形成され回転軸２の外表面に配設された永久磁石３と、略円筒形状を有し永久磁石３を締め付けるように永久磁石３の外表面を覆う補強リング５とを備え、補強リング５を、内径が一定であると共に、外径が開口端部側に位置する小径部と該小径部間に位置する大径部とからなり、小径部に対応する薄肉部５ａの径方向の厚さが、大径部に対応する厚肉部５ｂの径方向の厚さに比較して薄く形成されるようにした。【選択図】図１
2009072036.tif 000002
【特許請求の範囲】
【請求項１】
円筒状に形成され回転軸の外表面に配設された永久磁石と、略円筒形状を有し前記永久磁石を締め付けるように前記永久磁石の外表面を覆う補強部材とを備える永久磁石式回転機の回転子構造において、前記補強部材は、内径が一定であると共に、外径が開口端部側に位置する小径部と該小径部間に位置する大径部とからなり、前記小径部に対応する薄肉部の径方向の厚さが、前記大径部に対応する厚肉部の径方向の厚さに比較して薄く形成されていることを特徴とする永久磁石式回転機の回転子構造。
【請求項２】
前記補強部材の軸方向の長さが前記永久磁石の軸方向の長さに比較して長いことを特徴とする請求項１記載の永久磁石式回転機の回転子構造。
【請求項３】
前記薄肉部が前記永久磁石に対して軸方向外側に位置することを特徴とする請求項２記載の永久磁石式回転機の回転子構造。
【請求項４】
前記補強部材が、前記薄肉部と前記厚肉部との間に設けられ、前記薄肉部から前記厚肉部へ向かって軸方向に外径が拡径する傾斜部を備えることを特徴とする請求項１乃至３のいずれか１項に記載の永久磁石式回転機の回転子構造。
【発明の詳細な説明】
【技術分野】
【０００１】
本発明は、永久磁石式回転機の回転子構造に関する。
【背景技術】
【０００２】
従来、超高速回転の永久磁石式電動機や、永久磁石式同期発電機等の永久磁石式回転機の回転子構造としては、円筒状の永久磁石を同じく円筒状の非磁性高強度材（以下、補強リングという）で圧入又は焼き嵌め又は冷やし嵌めした回転子構造や、非磁性金属線で巻いた回転子構造が周知となっている（例えば、特許文献１，２参照）。
【０００３】
このようなリング磁石を用いる回転子構造においては、高速回転時に永久磁石の内径側に永久磁石の許容引張応力を超える引張応力が働き永久磁石が破損することを防止するために締め代を設けている。そして、永久磁石に働く回転トルクは、高速回転時に遠心力で軸と永久磁石とが離れないように締め代をとる、または、軸と永久磁石とを接着することで軸に伝達される。また、渦電流損失を低減するため補強リングとして炭素繊維などの高強度繊維や非磁性金属線を用いたものもある。
【０００４】
一方、円柱状の永久磁石を補強リングで圧入又は焼き嵌め又は冷やし嵌めした回転子構造もある（例えば、特許文献３参照）。
【０００５】
このような円柱状の永久磁石を用いる回転子構造においては、高速回転時に永久磁石の許容引張強さを超える引張応力が働かないように締め代をとることで永久磁石の破損を防止している。なお、補強リングと軸とは永久磁石の両端で圧入又は冷やし嵌め又は溶接される。そして、永久磁石に働く回転トルクは、高速回転時の遠心力で補強リングと永久磁石、及び軸と永久磁石が離れないように締め代をとることで軸に伝達される。永久磁石が円柱状であるため、同じ外径、長さの円筒状磁石に比較して遠心力に強く、磁石の起磁力を大きく取れるという利点を有している。
【０００６】
【特許文献１】特開平０３−１５９５３３号公報
【特許文献２】特開２００５−３１２２５０号公報
【特許文献３】特開２００２−３５４７２４号公報
【発明の開示】
【発明が解決しようとする課題】
【０００７】
しかしながら、上述した特許文献１，２に記載されているような回転子構造においては、永久磁石の許容引張応力を超える引張応力が作用することを防止するため、または遠心力や使用温度条件によって回転軸と永久磁石とが離れることがないようにするためには締め代を大きく取る必要があり、圧入または焼き嵌め温度を実用上困難な温度、換言すると大量生産には不向きな温度まで上昇させる必要があるという問題があった。締め代を大きく取るために実用上困難な温度とする必要があるのは冷やし嵌めを行う場合であっても同様であり、生産性の向上を妨げる虞があった。
【０００８】
永久磁石の回転トルクを、軸と永久磁石を接着することで軸に伝達するような回転子構造にあっては、高温環境下（１００℃以上）では接着剤の機能が低下するおそれがある。接着剤の機能の低下により一度永久磁石が回転軸から剥がれると再度接着状態とはならないために、上記高温環境下では回転軸と永久磁石とが分離してトルクを軸に伝達できなくなる可能性があった。
【０００９】
更に加えて、補強リングとして高強度繊維を用いる場合、該高強度繊維は熱膨張係数が小さいために焼き嵌めが困難であることから、圧入または永久磁石を冷やし嵌めすることとなる。しかし、永久磁石の熱膨張係数は鉄の約半分であるため、締め代を大きく取ることが困難となり、永久磁石の許容引張応力を超える引張応力が作用することを防止すること、遠心力や使用温度条件によらず軸と永久磁石とが離れないようにすることが難しかった。
【００１０】
また、特許文献３に記載されているような回転子構造にあっては、永久磁石の許容引張応力を超える引張応力が働かないように締め代を設定すると、締め代が大きくなり、圧入または焼き嵌め温度を実用上困難な温度、換言すると大量生産に不向きな温度まで上昇させる必要が生じることが考えられ、生産性の向上が抑制される虞があった。これは冷やし嵌めを行う場合であっても同様であった。
【００１１】
更に、円柱状の永久磁石を用いる場合、永久磁石を挟んで回転軸を分断させることとなる。回転軸を永久磁石の両端に固定する方法としては、回転軸を補強リングで圧入または焼き嵌めまたは冷やし嵌めするか、回転軸と補強リングとを溶接で固定する方法があるが、回転軸の歪や剛性に注意が必要であり、作業が煩雑であった。
【００１２】
そして、回転軸を補強リングで圧入または焼き嵌めまたは冷やし嵌めする場合、永久磁石に働く回転トルクを補強リングに伝達し、更に回転軸に伝達することとなるため、遠心力や使用温度条件で補強リングと回転軸、及び補強リングと永久磁石が離れることがないように締め代を取ると、締め代が大きくなり、圧入または焼き嵌め温度を実用上困難な温度、換言すると大量生産に不向きな温度まで上昇させる必要が生じることが考えられる。これは冷やし嵌めを行う場合であっても同様であり、生産性の向上が妨げられる虞があった。
【００１３】
更に、円筒状の永久磁石を用いる場合、円柱状の永久磁石を用いる場合ともに、完全円筒、即ち端部を削る等の加工を施していない、肉厚が均一に形成された補強リングに永久磁石を圧入する場合、圧入の際に永久磁石が破損する虞があった。
【００１４】
このようなことから本発明は、永久磁石が高速回転に耐え得る補強リングの締め代でありながら実用的な製造方法により生産性が高く、回転トルクの伝達に優れた永久磁石式回転機の回転子構造を提供することを目的とする。
【課題を解決するための手段】
【００１５】
上記の課題を解決するための第１の発明に係る永久磁石式回転機の回転子構造は、円筒状に形成され回転軸の外表面に配設された永久磁石と、略円筒形状を有し前記永久磁石を締め付けるように前記永久磁石の外表面を覆う補強部材とを備える永久磁石式回転機の回転子構造において、前記補強部材は、内径が一定であると共に、外径が開口端部側に位置する小径部と該小径部間に位置する大径部とからなり、前記小径部に対応する薄肉部の径方向の厚さが、前記大径部に対応する厚肉部の径方向の厚さに比較して薄く形成されていることを特徴とする。
【００１６】
第２の発明に係る永久磁石式回転機の回転子構造は、第１の発明において、前記補強部材の軸方向の長さが前記永久磁石の軸方向の長さに比較して長いことを特徴とする。
【００１７】
第３の発明に係る永久磁石式回転機の回転子構造は、第２の発明において、前記薄肉部が前記永久磁石に対して軸方向外側に位置することを特徴とする。
【００１８】
第４の発明に係る永久磁石式回転機の回転子構造は、第３の発明において、前記補強部材が、前記薄肉部と前記厚肉部との間に設けられ、前記薄肉部から前記厚肉部へ向かって軸方向に外径が拡径する傾斜部を備えることを特徴とする。
【発明の効果】
【００１９】
上述した本発明に係る永久磁石式回転機の回転子構造によれば、補強部材の開口端部側に薄肉部を設ける構成としたことにより、該補強部材に永久磁石を圧入する際に補強部材の開口端部が広がりやすくなるため、圧入時に補強部材が永久磁石に与える圧力が低減して永久磁石の破損を防止することができ、更に焼き嵌めと併用した場合も、焼き嵌め温度を低く設定することが可能となる。
【００２０】
更に、入手及び加工がしやすい円筒状の永久磁石を用いて永久磁石が高速回転に耐え得る補強部材の締め代でありながら実用的な製造方法により生産性を向上させることができるため、回転トルクの伝達に優れ、低コスト化が可能となる。
【００２１】
更に、永久磁石を周方向に分割していないため、永久磁石を分割した場合に生じる分割面角部の応力集中が発生せずに補強リング及び永久磁石には周方向に均一な力が働き、周方向に分割した場合に比較して補強リングに局所的に引張応力が生じることがなく、補強リングの厚みを低減することができると共に、永久磁石の厚みを厚くすることができる。これにより、モータの効率を向上させることが可能となる。
【発明を実施するための最良の形態】
【００２２】
本発明を実施するための形態を、以下の実施例において詳細に説明する。
【実施例１】
【００２３】
図１乃至図３に基づいて本発明の第１の実施例を説明する。図１（ａ）は本実施例に係る回転子構造を一部破断して示す部分断面図、図１（ｂ）は図１（ａ）のＡ−Ａ視断面図、図２は図１（ａ）のＢ部拡大図、図３（ａ）は本実施例に係る回転子構造を適用した場合の高速回転時に生じる現象を模式的に示す説明図、図３（ｂ）は従来の回転子構造を適用した場合の高速回転時に生じる現象を模式的に示す説明図である。
【００２４】
図１に示す回転子１は、例えば超高速回転の永久磁石式同期電動機、又は永久磁石式同期発電機に適用されるものであり、図示しない固定子の内側に回転自在に設けられている。図１に示すように、回転子１は、回転軸２と、円筒状に形成されて回転軸２の外表面に配設される永久磁石３と、環状に形成されて該永久磁石３の軸方向両端に配設される端板４と、概ね円筒状に形成され永久磁石３及び端板４を締め付けるように設けられる補強部材としての補強リング５とを備えている。本実施例に係る回転子１は、回転軸２と永久磁石３との間に間隔ｄの隙間６を有し、永久磁石３及び端板４を補強リング５に圧入する構造となっている。
【００２５】
補強リング５は永久磁石３及び端板４の外周を覆うように構成されており軸方向の長さが永久磁石３に比較して長くなっている。そして、その内周面は径が一定であるのに対し、外周面は該補強リング５の開口端部側に形成された小径部と、該小径部間に形成された大径部とを備え、径が異なるように形成されている。即ち、補強リング５は上記小径部に対応する部分である薄肉部５ａと上記大径部に対応する部分である厚肉部５ｂとを備えている。より詳しくは、端板４に対向する部分が薄肉部５ａ、永久磁石３に対向する部分が厚肉部５ｂとなっており、厚肉部５ｂの軸方向の長さは永久磁石３の軸方向の長さと略同一となっている。
【００２６】
以下に本実施例による作用効果を説明する。表１は、圧入時に永久磁石３に働く応力の比較例であり、薄肉部５ａを有する補強リング５を用いた場合、及び、従来の完全円筒状の補強リングを用いた場合における永久磁石に働く最大引張応力の解析結果を示すものである。
【００２７】
【表１】
2009072036.tif 000003
【００２８】
なお、この解析結果は、以下の条件で行った。
（１）補強リング材質：例）チタン合金  Ｔｉ−６Ａｌ−４Ｖ
（２）締め代と補強リング内径（永久磁石外径）の比率
締め代：リング内径（磁石外径）＝１：８０
（３）温度２２℃
【００２９】
表１に示すように、開口端部側に薄肉部５ａを備える補強リング５を用いる本実施例の構造とすれば、補強リング５の軸方向両端側に薄肉部５ａを設けたことにより、完全円筒状のものに比較して永久磁石３の開口端が弾性変形しやすく、つまり径方向外側へ広がりやすくなるため、永久磁石３を補強リング５に圧入する際に永久磁石３に働く応力を低減することが可能となり、永久磁石３の破損を防止することができる。
【００３０】
そのため、完全円筒状の補強リングを用いる従来の構造に比較して、圧入時に永久磁石３に働く最大引張応力を低減できる。これにより、従来に比較して圧入温度を低く設定することが可能となり、また、従来の構造では圧入が困難であったものであっても、本実施例に係る回転子構造を適用すれば圧入が可能となる場合が生じるため、生産性が向上する。
【００３１】
更に、本実施例によれば、回転子１の高速回転時において永久磁石３の外周縁に働く圧縮応力集中及び永久磁石３に働く引張応力を低減する効果も得られる。即ち、永久磁石と補強リングの軸方向の長さが等しい場合には、静止時および高速回転時において相互に均一な力が働くが、図３（ｂ）に示すように補強リング１０５が完全円筒状であって永久磁石１０３に比較して補強リング１０５が軸方向に長尺である場合、遠心力によって補強リング１０５の断面が軸方向に沿って弧状に変形した状態になり、永久磁石１０３の軸方向端部の図３（ｂ）中破線で囲んだＣ部、すなわち永久磁石１０３の開口端部の外周縁に圧縮応力が集中するとともに、図３（ｂ）中矢印で示すように永久磁石１０３に引張応力が作用するおそれがある。
【００３２】
一方、本実施例においては、薄肉部５ａの肉厚が厚肉部５ｂに比較して薄く形成されているため、高速回転時には図３（ａ）に示すように薄肉部５ａが弾性変形することにより、トルクを伝達する端板４と補強リング５との嵌め合いが低減することを防止しつつ、厚肉部５ｂが遠心力によって弧状に湾曲することを抑制することができ、永久磁石３にかかる補強リング５からの圧力を軸方向に均等にすると共に、永久磁石３が弧状に変形することを抑制することができるために永久磁石３に働く引張応力を低減することが可能になる。
【００３３】
更に、端板４と補強リング５の嵌め合い部分の締め代が維持できるため、トルク伝達を確実に行うことができる。
【００３４】
以上に示したように、本実施例によれば、高速回転に対する耐性を向上させると共に、回転トルクの伝達に優れ、且つ生産性が高い永久磁石式回転機の回転子構造を実現することができる。
【実施例２】
【００３５】
図４に基づいて本発明の第２の実施例を説明する。図４は本実施例に係る補強リングの一部を示す断面図である。本実施例に係る回転子構造は図１に示し上述したものと概ね同様であって、実施例１の補強リング５に代えて、図４に示す補強リング１５を用いるものである。以下、図１に示し上述した部材と同一の部材には同一符号を付し、重複する説明は省略する。
【００３６】
図４に示すように、本実施例において補強部材としての補強リング１５は、該補強リング１５の開口端部側に設けられた薄肉部１５ａと、該薄肉部１５ａ間に設けられた厚肉部１５ｂと、薄肉部１５ａと厚肉部１５ｂの間に設けられ、薄肉部１５ａから厚肉部１５ｂへ向かって軸方向に外径が拡径する傾斜部としての湾曲部１５ｃとから構成されている。薄肉部１５ａ及び湾曲部１５ｃは端板４に対向する位置に形成され、厚肉部１５ｂは永久磁石３に対向する位置に形成されている。換言すると、補強リング１５は、厚肉部１５ｂの軸方向の長さが永久磁石３の軸方向の長さと略同一になるように形成されている。即ち、本実施例の補強リング１５は、実施例１における補強リング５において、薄肉部５ａと該薄肉部５ａの端部から厚肉部５ｂへ向かって延びる面とによって形成された角部に曲率半径を与えた形状となっている。
【００３７】
本実施例によれば、薄肉部１５ａと厚肉部１５ｂとの間に湾曲部１５ｃを設けたことにより、実施例１の効果に加えて、肉厚が変化する部分に対する応力集中を緩和することができる。
【００３８】
なお、本実施例においては薄肉部１５ａ及び湾曲部１５ｃが端板４に対向する、即ち、薄肉部１５ａ及び湾曲部１５ｃからなる部分の軸方向の長さを端板４の軸方向の長さと同一とする例を示したが、該薄肉部１５ａ及び湾曲部１５ｃからなる部分の軸方向の長さは上述した長さに限らず、端板４の厚さと補強リング５の厚さの和以下とすればよい。
【実施例３】
【００３９】
図５に基づいて本発明の第３の実施例を説明する。図５は本実施例に係る補強リングの一部を示す断面図である。本実施例に係る回転子構造は図１に示し上述したものと概ね同様であって、実施例１の補強リング５に代えて、図５に示す補強リング２５を用いるものである。以下、図１に示し上述した部材と同一の部材には同一符号を付し、重複する説明は省略する。
【００４０】
図５に示すように、本実施例において補強部材としての補強リング２５は、該補強リング２５の開口端部側に設けられた薄肉部２５ａと、該薄肉部２５ａ間に設けられた厚肉部２５ｂと、薄肉部２５ａと厚肉部２５ｂの間に設けられ、薄肉部２５ａから厚肉部２５ｂへ向かって軸方向に外径が拡径する傾斜部２５ｃとから構成されている。薄肉部２５ａ及び傾斜部２５ｃは端板４に対向する部分に配置されるように軸方向の長さが設定され、これにより厚肉部２５ｂの軸方向の長さは永久磁石３の軸方向の長さと略同一となっている。
【００４１】
本実施例によれば、薄肉部２５ａと厚肉部２５ｂとの間に傾斜部２５ｃを設けたことにより、肉厚が変化する部分に対する応力集中を抑制し、実施例１の効果に加えて補強リング５の耐応力をより向上させることが可能となる。
【００４２】
なお、本実施例においては薄肉部２５ａ及び傾斜部２５ｃが端板４に対向する、即ち、薄肉部２５ａ及び傾斜部２５ｃからなる部分の軸方向の長さを端板４の軸方向の長さと同一とする例を示したが、該薄肉部２５ａ及び傾斜部２５ｃからなる部分の軸方向の長さは上述した長さに限らず、端板４の厚さと補強リング５の厚さの和以下とすればよい。
【実施例４】
【００４３】
図６に基づいて本発明の第４の実施例を説明する。図６は本実施例に係る補強リングの一部を示す断面図である。本実施例に係る回転子構造は図１に示し上述したものと概ね同様であって、実施例１の補強リング５に代えて、図６に示す補強リング３５を用いるものである。以下、図１に示し上述した部材と同一の部材には同一符号を付し、重複する説明は省略する。
【００４４】
図６に示すように、本実施例において補強部材としての補強リング３５は、該補強リング３５の開口端部側に形成された傾斜部３５ａと、該傾斜部３５ａ間に形成された厚肉部３５ｂとから構成されている。傾斜部３５ａは、厚肉部３５ｂから軸方向端部側へ向かって縮径するように研磨された構造を有し、その肉厚が軸方向端部側へ向かって薄くなるように形成されている。そして、該傾斜部３５ａは端板４及び永久磁石３の軸方向端部側の一部に対向する位置に設けられている。即ち、傾斜部３５ａの軸方向の長さは端板４の厚さ以上、換言すると、厚肉部３５ｂの軸方向の長さが永久磁石３の軸方向の長さに比較して所定長さ短尺になるように構成されている。
【００４５】
本実施例によれば、補強リング３５の軸方向端部の形状を簡素にして安価で且つ作りやすいリング形状になっていると共に、圧入時、又は超高速回転時に永久磁石に働く応力を低減することができるため、実施例１の効果に加えて、加工性及び補強リング耐応力がより向上するという効果が得られる。
【実施例５】
【００４６】
図７に基づいて本発明の第５の実施例を説明する。図７は本実施例に係る補強リングの一部を示す断面図である。本実施例に係る回転子構造は図１に示し上述したものと概ね同様であって、実施例１の補強リング５に代えて、図７に示す補強リング４５を用いるものである。以下、図１に示し上述した部材と同一の部材には同一符号を付し、重複する説明は省略する。
【００４７】
図７に示すように、本実施例において補強部材としての補強リング４５は、該補強リング４５の開口端部側に形成された薄肉部４５ａと、該薄肉部４５ａ間に形成された厚肉部４５ｂと、傾斜部としての薄肉部４５ａと厚肉部４５ｂとの間で薄肉部４５ａから厚肉部４５ｂに向かって一定の割合で拡径する傾斜部４５ｃ及び薄肉部４５ａと傾斜部４５ｃとからなる角部を滑らかに湾曲させるように設けられた湾曲部４５ｄを有している。薄肉部４５ａ、湾曲部４５ｄ及び傾斜部４５ｃは概ね端板４に対向する位置に設けられ、厚肉部４５ｂは永久磁石３に対向する位置に設けられている。
【００４８】
本実施例によれば、補強リング４５を図７に示し上述した形状としたことにより、肉厚が変化する部分に対する応力集中を抑制し、実施例１の効果に加えて、耐応力をより向上させることができる。
【００４９】
表２に、上述した実施例１〜実施例５に係る回転子構造を適用した場合における圧入時に永久磁石に働く応力、補強リングの応力集中緩和、加工性を比較したものを示す。
【００５０】
【表２】
2009072036.tif 000004
【００５１】
表２に示すように、実施例１〜実施例５に係る回転子構造は、それぞれ異なる利点を有する。従って、目的に応じて上述したいずれかの回転子構造を選択するようにすればより好適である。
【産業上の利用可能性】
【００５２】
本発明は、超高速回転の永久磁石式電動機や、永久磁石式同期発電機等の永久磁石式回転機の回転子構造に適用して好適なものである。
【図面の簡単な説明】
【００５３】
【図１】図１（ａ）は本発明の実施例１に係る回転子構造を示す部分断面図、図１（ｂ）は図１（ａ）のＡ−Ａ視断面図である。
【図２】図１（ａ）のＢ部の補強リングを拡大して示す断面図である。
【図３】図３（ａ）は本発明の実施例１の回転子構造の超高速回転時における状態を示す説明図、図３（ｂ）は従来の回転子構造の超高速回転時における状態を示す説明図である。
【図４】本発明の実施例２に係る回転子構造の補強リングの一部を示す断面図である。
【図５】本発明の実施例３に係る回転子構造の補強リングの一部を示す断面図である。
【図６】本発明の実施例４に係る回転子構造の補強リングの一部を示す断面図である。
【図７】本発明の実施例５に係る回転子構造の補強リングの一部を示す断面図である。
【符号の説明】
【００５４】
１  回転子
２  回転軸
３  永久磁石
４  端板
５，１５，２５，３５，４５  補強リング
５ａ，１５ａ，２５ａ，４５ａ  薄肉部
５ｂ，１５ｂ，２５ｂ，３５ｂ，４５ｂ  厚肉部
１５ｃ，４５ｄ  湾曲部
２５ｃ，３５ａ，４５ｃ  傾斜部
【図１】
2009072036.tif 000005
【図２】
2009072036.tif 000006
【図３】
2009072036.tif 000007
【図４】
2009072036.tif 000008
【図５】
2009072036.tif 000009
【図６】
2009072036.tif 000010
【図７】
2009072036.tif 000011